(57)【要約】【課題】  低学年の生徒でも容易に着脱可能な机用のパーティションを提供する。【解決手段】  机の天板に着脱可能に取り付けられるパーティション１であって、長方形又は正方形の正面部１ａ及び前記正面部の両側に取り付けられた複数の側面部１ｂを含む板状の本体部と、前記複数の側面部の下隅にそれぞれ設けられた複数のフック１ｃとを備える。前記複数のフック１ｃの開口が机の天板に嵌まり込むことで、机に装着される。【選択図】              図１
2008301925.tif 000002
【特許請求の範囲】
【請求項１】
机の天板に着脱可能に取り付けられる前方及び側方の視界遮断具であって、
正面部及び前記正面部の両側に取り付けられた複数の側面部を含む板状の本体部と、前記複数の側面部の下隅にそれぞれ設けられた複数のフックとを備え、
前記複数のフックはそれぞれ前記正面部に向かって開いていて、その開口が机の天板に嵌まり込む又はその端で机の天板に当接するものであり、前記複数の側面部は、前記正面部に開閉自在に設けられていることを特徴とする机用の視界遮断具。
【請求項２】
机の天板に着脱可能に取り付けられる前方及び側方の視界遮断具であって、
正面部及び前記正面部の両側に取り付けられた複数の側面部を含む板状の本体部と、前記複数の側面部と前記正面部の境界近傍の下端にそれぞれ設けられた複数のフックとを備え、
前記複数のフックはそれぞれ前記正面部と反対方向に開いていて、その開口が机の天板に嵌まり込む又はその端で机の天板に当接するものであり、前記複数の側面部は、前記正面部に開閉自在に設けられていることを特徴とする机用の視界遮断具。
【請求項３】
前記複数のフックの開口の形状は、末広がり又は階段状であることを特徴とする請求項１又は請求項２記載の机用の視界遮断具。
【請求項４】
前記正面部又は前記複数の側面部のいずれかに、開口が設けられていることを特徴とする請求項１又は請求項２記載の机用の視界遮断具。
【請求項５】
前記正面部の高さは、前記複数の側面部の高さと異なっていることを特徴とする請求項１又は請求項２記載の机用の視界遮断具。
【請求項６】
前記複数の側面部、前記正面部及び前記複数のフックは、板状の部材から一体に形成されたものであり、前記正面部と前記複数の側面部の境界には、開閉軸に沿ってひとつ又は複数のスリットが設けられていることを特徴とする請求項１乃至請求項５いずれかに記載の机用の視界遮断具。
【発明の詳細な説明】
【技術分野】
【０００１】
この発明は、机（例えば学習机）に容易に着脱可能な仕切り（パネル、パーティション）であって、机に座る者（学習者）の前方及び側方の視界を遮断する装置に関する。
【背景技術】
【０００２】
学習机は、学童や生徒が学習をしやすくするために、様々な工夫のなされたものが開発されている。
図書館や学習塾などでは、読書や勉強に集中することを目的として、机の側面を遮断する仕切板が設けられた学習机が用いられている。隣の読書者や学習者が気にならないため、格段に読書や学習に集中しやすくなる。
【０００３】
【特許文献１】特開平９−１３７５３１号公報
【特許文献２】特開２０００−６４４６８号公報
【特許文献３】特開２００３−３０４９３９号公報
【発明の開示】
【発明が解決しようとする課題】
【０００４】
ところで、最近は、学校においても机に仕切板（机用の視界遮断具）を設けることが行われている。自習中あるいは試験中で机に向かうべきときに学習に集中させるためである。学習塾や図書館などの自習用机では、仕切板（机用の視界遮断具）は常時装着したままであるが、学校の机においては、自習中あるいは試験中のみ視界を遮断する必要があり、授業中は仕切板を取り外さなければならない。当該仕切板は、子どもが容易に使用できるものであることが必要であり、また、容易に着脱可能で必要時以外は取り外して机上を広く使用できることが求められる。
【０００５】
このような用途に適する仕切板（机用の視界遮断具）は次の条件を満たすものでなければならない。
（１）小学生などの低学年の生徒でも容易に着脱可能であること
（２）小学生などの低学年の生徒でも容易に扱える簡単かつ軽量なものであること
（３）保管場所をとらないこと
【０００６】
公知の仕切板（机用の視界遮断具）は、いずれも上記（１）乃至（３）の全部を満たすものではなかった。
【０００７】
この発明は上記（１）乃至（３）を満たすことのできる机用の視界遮断具を提供することを目的とする。
【課題を解決するための手段】
【０００８】
この発明は、机の天板に着脱可能に取り付けられる前方及び側方の視界遮断具であって、
正面部及び前記正面部の両側に取り付けられた複数の側面部を含む板状の本体部と、前記複数の側面部の下隅にそれぞれ設けられた複数のフックとを備え、
前記複数のフックはそれぞれ前記正面部に向かって開いていて、その開口が机の天板に嵌まり込む又はその端で机の天板に当接するものであり、前記複数の側面部は、前記正面部に開閉自在に設けられていることを特徴とするものである。
【０００９】
この発明は、机の天板に着脱可能に取り付けられる前方及び側方の視界遮断具であって、
正面部及び前記正面部の両側に取り付けられた複数の側面部を含む板状の本体部と、前記複数の側面部と前記正面部の境界近傍の下端にそれぞれ設けられた複数のフックとを備え、
前記複数のフックはそれぞれ前記正面部と反対方向に開いていて、その開口が机の天板に嵌まり込む又はその端で机の天板に当接するものであり、前記複数の側面部は、前記正面部に開閉自在に設けられていることを特徴とするものである。
【００１０】
前記複数のフックの開口の形状は、例えば、末広がり又は階段状である。
【００１１】
前記正面部又は前記複数の側面部のいずれかに、開口を設けてもよい。
【００１２】
前記正面部の高さは、前記複数の側面部の高さと異なっていてもよい。
【００１３】
前記複数の側面部、前記正面部及び前記複数のフックは、板状の部材から一体に形成されたものであり、前記正面部と前記複数の側面部の境界には、開閉軸に沿ってひとつ又は複数のスリットが設けられているものでもよい。
【発明を実施するための最良の形態】
【００１４】
発明の実施の形態について図面を参照して説明を加える。
【００１５】
図１は、発明の実施の形態に係る前方及び側方の視界遮断具（以下の説明において「仕切板」と記すことがある）を前方から見た斜視図である。
【００１６】
図２は、発明の実施の形態に係る前方及び側方の視界遮断具を後方から見た斜視図である。
【００１７】
図３は、発明の実施の形態に係る視界遮断具１のフック１ｃの拡大図である。
【００１８】
図１乃至図３からわかるように、発明の実施の形態に係る視界遮断具１は、正方形又は長方形の正面部１ａ及び正面部１ａの両側に取り付けられた複数（２つ）の側面部１ｂを含む板状の本体部と、複数の側面部１ｂの下隅にそれぞれ設けられた複数のフック１ｃとを備える。
【００１９】
複数のフック１ｃはそれぞれ正面部１ａに向かって開いている。図１に示すように、その開口Ｂが机の天板Ｄに嵌まり込むことで、発明の実施の形態に係る視界遮断具１は、机の天板に着脱可能に取り付けられる。フック１ｃの開口Ｂの幅は、机の天板Ｄの厚さとほぼ同じである（正確にはわずかに大きい）。なお、図２及び図３において、机の天板Ｄの表示は省略している。
【００２０】
なお、図３の点線で示すように、突出部分１ｃ'をカットしたものを、フック１ｃとすることもできる。図３の点線で示したフック１ｃは、いわば側面部１ｂから垂れ下がっている部分のみがあって、図３の実線のフック１ｃの下部分１ｃ'を持たないものである。図３の点線の構成では、開口Ｂはほぼ直角のコーナーとなり、その垂れ下がり部分（点線の部分を含む）が机の天板に突き当たることにより、視界遮断具１が机の天板に着脱可能に取り付けられる。視界遮断具１が机の天板から外れにくいという取り付けの確実性に関して、図３の点線の構成１ｃは、同図の実線の構成（突出部分１ｃ'を含む１ｃ）よりもやや劣るが、逆に、簡単に視界遮断具１を机から取り外すことができる、というメリットがある。  
【００２１】
また、複数の側面部１ｂは、正面部１ａに、側面部１ｂと正面部１ａの境界線を開閉軸Ａとして開閉自在に取り付けられている。そのため、図１の矢印及び点線で示すように、側面部１ｂの位置を任意に変更することができる。側面部１ｂの開閉角度は、最大範囲で０度（側面部１ｂを広げて正面部１ａと同一平面においた状態）から±１８０度（側面部１ｂを折りたたんで正面部１ａに密着させた状態）である。０度では発明の実施の形態に係る視界遮断具１は薄い板状になり、±１８０度の状態では小さく折りたたまれた状態になり、いずれも保管スペースは最小限となる。
【００２２】
なお、図１及び図２は、開閉角度が概ね９０度前後の状態を示す。図４（ａ）に、発明の実施の形態に係る視界遮断具１の展開図（開閉角度は０度）を示す。
【００２３】
図１乃至図３の視界遮断具１は、その複数の側面部１ｂ、正面部１ａ及び複数のフック１ｃが、板状の部材から一体に形成されたものである（例えばプレス成型）。各コーナーは丸く整形されている。その材質は、例えばポリプロピレン、厚紙などである。各コーナーを丸く整形することで安全性が高まる。正面部１ａにホワイトボードを取り付けることで、そこに文字を書き込んだり消すことができるようにしてもよい。視界遮断具１自体をそのような材質としてもよい。ポリプロピレンは、日光による退色など経年劣化に比較的強い、という特長をもつ。視界遮断具１自体を着色し、さまざまなカラーバリエーションをもたせることもできる。
【００２４】
正面部１ａと複数の側面部１ｂの境界に位置する開閉軸Ａに沿って複数のスリットＳが設けられている。スリットＳを設けることで、その部分の板状の部材の剛性を低下させて開閉軸Ａを中心とする開閉を容易に行えるようにしている。なお、スリットＳはひとつでもよい。また、図４（ａ）などに示すように、スリットＳの両端にスリットＳの幅より大きな穴を設けてもよい。スリットＳの両端の剛性をより低下させることで、そこに力が集中し折り曲げやすくなる。
【００２５】
図４（ｂ）と（ｃ）は、異なる形状のフック１ｃを示す。図４（ｂ）のフック１ｃの開口は、その先端に向かうほど広がっている（いわゆる末広がり）。この形状によれば、所定の範囲の厚みの天板Ｄ（開口の最大の幅から最小の幅の間の厚み）に対応することができる。図４（ｃ）のフック１ｃの開口は、その先端に行くに従って段階的に広がっている（いわゆる階段状をしている）。同図の開口の幅は、ａ，ｂ，ｃの３種類であるので、厚みａ，ｂ，ｃの３種類の机の天板に対応することができる（ａ＜ｂ＜ｃ）。
【００２６】
図１乃至図４では、フック１ｃが側面部１ｂの端に設けられていたが、図５に示すように、複数の側面部１ｂの反対端、すなわち正面部１ａと複数の側面部１ｂの間にそれぞれ設けてもよい。図５の例では、フック１ｃが側面部１ｂの内側の端に（開閉軸Ａに接して）設けられている。複数のフック１ｃはそれぞれ複数の側面部１ｂの端に向かって開いていて（図１乃至図４とは反対側へ向かって開いている）、その開口が机の天板に嵌まり込む。この例は、発明の実施の形態に係る視界遮断具１を、机の奥で保持するものである。なお、図５（ａ）乃至（ｃ）のフック１ｃは、それぞれ図４（ａ）乃至（ｃ）のフック１ｃに相当する。この例も、図１乃至図４のものと同様の作用効果を奏する。
【００２７】
他の実施形態について説明を加える。
図６（ａ）は、正面部１ａの高さを、側面部１ｂに比べて高くしたものである。このようにすることで、正面方向についての遮断効果を高めることができる。図７（ｂ）は、正面部１ａの高さを、側面部１ｂに比べて低くしたものである。このようにすることで、正面方向への視界を確保することができる。また、その低くなった部分でパソコンのケーブルなどを通すことができる。このように、正面部１ａの高さを、複数の側面部１ｂの高さと異なるようにすることができる。なお、図７（ａ）は、正面部１ａと側面部１ｂの高さを、図５（ａ）の例よりも高くしたものである。
【００２８】
図６（ｂ）（ｃ）、図７（ｃ）に示すように、正面部１ａ又は複数の側面部１ｂのいずれかに、開口Ｈを設けてもよい。開口Ｈは、パソコンのケーブルなどの通路とすることができる。図の例では、開口Ｈを下端に設けているが、上端あるいは中間に設けることもできる。
【００２９】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００３０】
【図１】発明の実施の形態に係る仕切板の正面側の斜視図である。
【図２】発明の実施の形態に係る仕切板の背面側の斜視図である。
【図３】発明の実施の形態に係るフックの拡大図である。
【図４】発明の実施の形態の他の例を示す展開図である。
【図５】発明の実施の形態の他の例を示す展開図である。
【図６】発明の実施の形態の他の例を示す展開図である。
【図７】発明の実施の形態の他の例を示す展開図である。
【符号の説明】
【００３１】
１    視界遮断具（仕切板・パネル、パーティション）
１ａ  正面部
１ｂ  側面部
１ｃ  フック
Ａ    開閉軸
Ｂ    フックの開口
Ｄ    机の天板
Ｈ    開口
Ｓ    スリット
【図１】
2008301925.tif 000003
【図２】
2008301925.tif 000004
【図３】
2008301925.tif 000005
【図４】
2008301925.tif 000006
【図５】
2008301925.tif 000007
【図６】
2008301925.tif 000008
【図７】
2008301925.tif 000009